(57)【要約】  【課題】  ワイヤーロープの端部を比較的容易に締結することが可能である一方、締結状態の解除は困難であり、悪意や過ちによるワイヤーロープ端部の締結解除を防止可能な鍵付ワイヤークリップを提供する。  【解決手段】  鍵付ワイヤークリップ１０は、ワイヤーロープ１８を挿通させるための第一及び第二の貫通孔１６，１７が形成されたハウジング１５と、所定の軌道に沿って摺動可能なように第一の貫通孔１６内に配置され、ワイヤーロープ１８に当接する咬付き面１１ｃを有する楔状部材１１と、楔状部材１１を軌道の所定方向に付勢するために第一の貫通孔１６内に設けられたバネ部材１２と、鍵穴に差し入れた鍵で操作することにより可動する出力部１４ｃを有する施錠ユニット１４と、施錠ユニット１４の出力部１４ｃからの力を楔状部材１１に伝達させるためハウジング１５内に設けられたカム部材１３とを備える。  【選択図】  図１
2008121727.tif 000002
【特許請求の範囲】
【請求項１】
ワイヤーロープを挿通させるための第一及び第二の貫通孔が形成されたハウジングと、所定の軌道に沿って摺動可能なように前記第一の貫通孔内に配置され、ワイヤーロープに当接する咬付き面を有する楔状部材と、当該楔状部材を軌道の所定方向に付勢するために前記第一の貫通孔内に設けられたバネ部材と、鍵穴に差し入れた鍵で操作することにより可動する出力部を有し、少なくとも出力部がハウジングで覆われた施錠ユニットと、施錠ユニットの出力部からの力を前記楔状部材に伝達させるためハウジング内に設けられたカム部材とを備え、
前記第一の貫通孔はワイヤーロープが当接する締付け面を有し、当該締付け面は前記楔状部材の軌道に対して鋭角に延びるように設けられ、
前記第二の貫通孔はワイヤーロープを自在に挿脱可能なように形成され、
前記バネ部材は、前記楔状部材の咬付き面と前記貫通孔の締付け面との間隔を狭くする方向に、前記楔状部材を付勢するものであり、
前記楔状部材は、その咬付き面がワイヤーロープに当接しているとき、ワイヤーロープを第一の方向に引っ張ると、咬付き面と締付け面との間隔が狭くなる方向に摺動し、ワイヤーロープの前記第一の貫通孔内での動きを規制し、一方、第一の方向の逆方向である第二の方向にワイヤーロープを引っ張ると、咬付き面と締付け面との間隔が広くなる方向に摺動し、ワイヤーロープの前記第一の貫通孔内での動きを自在にし、
前記カム部材は、施錠ユニットの出力部からの力を受けて作動し、前記楔状部材の所定部に係合して前記バネ部材の付勢方向とは逆向きに摺動させることにより、前記楔状部材の咬付き面と前記貫通孔の締付け面との間隔を広げて、ワイヤーロープの前記貫通孔内での動きを自在にするものである鍵付ワイヤークリップ。
【請求項２】
請求項１の鍵付ワイヤークリップの第二の貫通孔に挿通されたワイヤーロープの一端部が固定手段により前記ハウジングに固定されたものである緊締装置。
【発明の詳細な説明】
【技術分野】
【０００１】
本発明は、ワイヤーロープの端部を締結するための鍵付ワイヤークリップ及び、この鍵付ワイヤークリップにワイヤーロープを固定してなる緊締装置とに関する。
【背景技術】
【０００２】
ワイヤーロープの端部を止め金具に締結したり、ワイヤーロープの端部どうしを連結したりするケーブルクランプが従来から知られており、例えば、特許文献１には、ワイヤーロープの締付けが専用工具なしにできるケーブルクランプが記載されている。
このケーブルクランプは、ワイヤーロープを挿通させる貫通孔がハウジングに形成され、貫通孔内に楔状部材が摺動可能に配置され、楔状部材を所定方向に付勢するバネが貫通孔内に設けられている。ハウジングの表面には、貫通孔に達する長孔が設けられ、この長孔に緩やかに嵌合する凸部が楔状部材に突設され、凸部の可動範囲が長孔に規制されることにより、楔状部材は長孔を軌道として貫通孔内で可動するようになっている。ハウジングの貫通孔内には、ワイヤーロープが当接する締付け面があり、楔状部材はワイヤーロープに当接する面に鋸状に形成された歯が形成されている。
【０００３】
特許文献１のケーブルクランプでは、ワイヤーロープを貫通孔の一方向から挿入することが可能であり、このとき貫通孔内の締付け面と楔状部材の鋸状歯とによりワイヤーロープが挟まれて固定され、逆方向には引き抜くことができないように構成されている。そして、ケーブルクランプの締結状態を解除する際には、ハウジングの長孔から外側に突き出た楔状部材の凸部を所定方向に押すだけでよく、これによりワイヤーロープをケーブルクランプの貫通孔から引き抜くことが可能になっている。したがって、特許文献１のケーブルクランプは、ワイヤーロープ端部の締結やその解除を容易に行えることが特徴である。
【０００４】
ワイヤーロープは、例えば、農業フェンス、蔓性植物用の棚、建築物設備の吊り下げ設置、クリスマスツリーの固定や電飾配線の補助、展示会における簡易設備の仮止めや補強等といった目的でも使用されるものであり、このような用途のワイヤーロープの端部を締結するために、ケーブルクランプは使用される。
しかしながら、ケーブルクランプは、ハウジングから外側に突き出た楔状部材の凸部を押すだけで締結解除可能であるため、この凸部を誤って押してしまったり、あるいは、悪意により凸部が押された場合には、ワイヤーロープが支持しているクリスマスツリー、電飾配線または展示会の簡易設備等が倒れて破損したり、その周囲にいる人間に危険が及ぶ可能性も考えられる。
【特許文献１】米国特許公報ＵＳ６,５４６,６００Ｂ１
【発明の開示】
【発明が解決しようとする課題】
【０００５】
上述のケーブルクランプは、真直ぐに延びて緊張力が作用するワイヤーロープの端部を他の物に締結するために用いられるものであるが、この他にも、ワイヤーロープの端部を締結すること関して新たな要望が生じている。
一例を挙げて説明すれば、自動販売機等から回収した硬貨は、多くの場合に厚手の袋に入れられて運搬され、その際、袋の開口部は繊維等からなる紐等により緊締されることが一般的である。このような従来の緊締手段に対し、さらに安全性を高めるために、袋の開口部をワイヤーロープで緊締したいという新たな要望があり、これを実現するために、ワイヤーロープの端部を締結し、容易に締結解除できないようにする装置が必要になっている。しかしながら、そのような用途では、ワイヤーロープを含む緊締装置は未だ提案されていない。
【０００６】
したがって、本発明の目的は、ワイヤーロープの端部を比較的容易に締結することが可能である一方、締結状態の解除は困難であり、悪意や過ちによるワイヤーロープ端部の締結解除を防止することができる鍵付ワイヤークリップを提供することである。
【０００７】
また本発明の別の目的は、被緊締物を比較的容易にワイヤーロープで緊締することが可能である一方、この緊締状態の解除が困難であり、比較的高い安全性が得られる緊締装置を提供することである。
【課題を解決するための手段】
【０００８】
以下、課題を解決するための手段について、添付図面中の参照番号を付して説明する。
本発明では、ワイヤーロープ１８を挿通させるための第一及び第二の貫通孔１６，１７が形成されたハウジング１５と、所定の軌道に沿って摺動可能なように前記第一の貫通孔１６内に配置され、ワイヤーロープ１８に当接する咬付き面１１ｃを有する楔状部材１１と、当該楔状部材１１を軌道の所定方向に付勢するために前記第一の貫通孔１６内に設けられたバネ部材１２と、鍵穴に差し入れた鍵で操作することにより可動する出力部１４ｃを有し、少なくとも出力部１４ｃがハウジング１５で覆われた施錠ユニット１４と、施錠ユニット１４の出力部１４ｃからの力を前記楔状部材１１に伝達させるためハウジング１５内に設けられたカム部材１３とを備え、前記第一の貫通孔１６はワイヤーロープ１８が当接する締付け面２１ｄを有し、当該締付け面２１ｄは前記楔状部材１１の軌道に対して鋭角に延びるように設けられ、前記第二の貫通孔１７はワイヤーロープ１８を自在に挿脱可能なように形成され、前記バネ部材１２は、前記楔状部材１１の咬付き面１１ｃと前記第一の貫通孔１６の締付け面２１ｄとの間隔を狭くする方向に、前記楔状部材１１を付勢するものであり、前記楔状部材１１は、その咬付き面１１ｃがワイヤーロープ１８に当接しているとき、ワイヤーロープ１８を第一の方向に引っ張ると、咬付き面１１ｃと締付け面２１ｄとの間隔が狭くなる方向に摺動し、ワイヤーロープ１８の前記第一の貫通孔１６内での動きを規制し、一方、第一の方向の逆方向である第二の方向にワイヤーロープ１８を引っ張ると、咬付き面１１ｃと締付け面２１ｄとの間隔が広くなる方向に摺動し、ワイヤーロープ１８の前記第一の貫通孔１６内での動きを自在にし、前記カム部材１３は、施錠ユニット１４の出力部１４ｃからの力を受けて作動し、前記楔状部材１１の所定部に係合して前記バネ部材１２の付勢方向とは逆向きに摺動させることにより、前記楔状部材１１の咬付き面１１ｃと前記第一の貫通孔１６の締付け面２１ｄとの間隔を広げて、ワイヤーロープ１８の前記第一の貫通孔１６内での動きを自在にするものである鍵付ワイヤークリップ１０が提供される。
【０００９】
また本発明では、請求項１の鍵付ワイヤークリップ１０の第二の貫通孔１７に挿通されたワイヤーロープ１８の一端部が留め具１９やボルト等の固定手段により前記ハウジング１５に固定されたものである緊締装置５０が提供される。
【発明の効果】
【００１０】
本発明の鍵付ワイヤークリップは、ワイヤーロープを第一の貫通孔に挿入し、第一の方向に引張ったときには、楔状部材の咬付き面と締付け面とがワイヤーロープを挟み込んでワイヤーロープの動きを規制し、この楔状部材による第一の方向へのワイヤーロープの挟み込み状態は、施錠ユニットによりカム部材を作動させることのみにより解除可能に構成されたものであり、一方、ワイヤーロープを第二の方向に引張ったときには、楔状部材の咬付き面と締付け面とにより挟まれず、ワイヤーロープは第二の方向に自在に動かすことができるように構成されているため、ワイヤーロープの端部は比較的容易に締結することが可能である一方、締結状態の解除は困難であり、悪意や過ちによるワイヤーロープ端部の締結解除を防止することができる。
【００１１】
本発明の緊締装置では、第二の貫通孔に取付けられたワイヤーロープの他端を第一の貫通孔に挿通すれば、ワイヤーロープが鍵付ワイヤークリップを介して環状に形成される。そして、この環状のワイヤーロープを被緊締物に括り付けて前記第二の方向に引張れば、このワイヤーロープにより袋の開口部等の被緊締物を緊締することができる。このとき施錠ユニットを鍵で操作する以外には、ワイヤーロープを第一の方向には引き抜くことができず、ワイヤーロープによる緊締状態は維持することができる。
なお、ワイヤーロープにより緊締する対象物は、上述のように袋の開口部に限られるものではなく、梱包された荷物等にも適用可能なものである。
【発明を実施するための最良の形態】
【００１２】
以下、図面を参照して本発明について説明するが、本発明はこれに限定されるものではない。
【００１３】
図１（ａ）は鍵付ワイヤークリップ１０の側面図、図１（ｂ）は矢印Ｂ方向からみた後端面図、図１（ｃ）は矢印Ｃ向からみた前端面図、図１（ｄ）は矢印Ｄ方向からみた側面図、図１（ｅ）は矢印Ｅ方向からみた側面図である。
本発明の鍵付ワイヤークリップ１０は、楔状部材１１、バネ部材１２、カム部材１３及び施錠ユニット１４がハウジング１５の内部に設けられ、ワイヤーロープを挿通可能な第一及び第二の貫通孔１６，１７がハウジング１５に形成され、図１において点線で示されたワイヤーロープ１８を含まないものである。鍵付ワイヤークリップ１０は、農業フェンス、蔓性植物用の棚、建築物設備の吊り下げ設置、クリスマスツリーの固定や電飾配線の補助、展示会における簡易設備の仮止めや補強などの目的で使用されるワイヤーロープの端部を、他のワイヤーロープや係止端に締結するためのものである。
一方、本発明の緊締装置５０は、鍵付ワイヤークリップ１０とワイヤーロープ１８との両方から構成されるものであり、ワイヤーロープ１８（図２参照）は表面にポリアミド系樹脂等の合成樹脂からなる被膜が設けられ、一端に留め具１９が固定されている。この留め具１９は、第二の貫通孔１７の一方の開口から挿通されたワイヤーロープ１８が、他方の開口から抜けないように留めるためのものである。緊締装置５０は、第一及び第二の貫通孔１６，１７に取付けられたワイヤーロープ１８が鍵付ワイヤークリップ１０を介して環状に形成され、この環状のワイヤーロープを被緊締物（例えば、袋の開口部など）に括り付けて緊締するためのものである。
【００１４】
前記施錠ユニット１４は、既存のシリンダー錠のユニットを使用することが可能であり、図１及び図３を参照して説明すれば、外筒部材１４ａの内部に軸部材（図示せず）が挿着され、軸部材は後端の鍵穴１４ｂに挿入された鍵（図示せず）により回転可能に設けられ、軸部材の先端１４ｃがカム部材１３を回動させる出力部１４ｃとして機能する。つまり、出力部１４ｃは、カム部材１３の貫通穴１３ａ（図７参照）に嵌合するような形状、例えば、長円形状に形成される。この施錠ユニット１４は、少なくとも出力部１４ｃがハウジング１５の内部に収納されるものであり、更に好ましくは、図３のように鍵穴１４ｂを除いた全体がハウジング１５の内部に収納される。
施錠ユニット１４は、鍵を鍵穴１４ｂに挿入して回転操作することにより、第一の貫通孔１６に挿入されたワイヤーロープ１８を引き抜き可能にするものである。
【００１５】
次に、ハウジング１５は、図４の第一のハウジング２０と、図５の第二のハウジング３０とから構成することが可能であり、ボルト４０やダボ等の連結部材により一体に結合される。第一のハウジング２０は、楔状部材１１及びバネ部材１２を内部に収納し、第一及び第二の貫通孔１６，１７を構成するものであり、一方、第二のハウジング２２はカム部材１３及び施錠ユニット１４を内部に収納するものである。
【００１６】
図４（ａ）は第一のハウジング２０を矢印Ａ方向からみた側面図、図４（ｂ）は第二のハウジング３０に接合される端面の図、図４（ｃ）は矢印Ｃ方向からみた側面図、図４（ｄ）一点鎖線Ｄ−Ｄに沿った断面図である。
第一のハウジング２０の接合端面には、第一の貫通孔１６を構成する第一の溝２１と、第二の貫通孔１７を構成する第二の溝２２とが刻設されている。第一の溝２１は、ワイヤーロープのみを通すことが可能な程度の大きさの開口端２１ａ，２１ｂを両側に有し、この両方の開口端２１ａ，２１ｂの間に拡大部２１ｃが形成されており、開口端２１ａ，２１ｂは両方を結ぶ面２１ｄが拡大部２１ｃに対して鋭角に傾くような配置で形成され、この面２１ｄがワイヤーロープの押し付けられる締付け面２１ｄとして機能する。拡大部２１ｃには凹面２１ｅが形成され、この凹面２１ｅはバネ部材１２の端部が緩やかに嵌められて動かないようにするものである。
第一の溝２１において、開口端２１ａ，２１ｂの両方を結ぶ部分には、図８（ａ）〜（ｃ）に示すようにワイヤーロープ１８が通され、拡大部２１ｃは楔状部材１１やバネ部材１２を収納するために使用される。つまり、バネ部材１２の一端部が凹面２１ｅに緩やかに嵌められ、楔状部材１１がバネ部材１２の他端部が緩やかに嵌まるように配置される。
一方、第二の溝２２は、大きさの異なる開口端２２ａ，２２ｂを両側に有し、小さい開口端２２ａはワイヤーロープを通すことが可能な程度に形成され、大きい開口端２２ｂに向けて細径部２２ｃが形成されている。大きい開口端２２ｂには拡大部２２ｄが形成され、拡大部２２ｄは細径部２２ｃよりも若干大きく形成されている。この拡大部２２ｄに向けて、第一のハウジング２０の側面から螺子孔２３が穿設されている。この螺子孔はここにボルト４１を螺合し、その先端でワイヤーロープ１８の留め具１９を押圧して固定させるためのものである。
また第一のハウジング２０の接合端面には、対向配置された一対のダボ孔２４と、表裏に貫通するネジ挿着孔２５とが設けられている。
【００１７】
次に、図５（ａ）は第二のハウジング３０を一点鎖線Ａ−Ａに沿って切断した断面図、図５（ｂ）は第一のハウジング２０に接合される端面の図、図５（ｃ）は一点鎖線Ｃ−Ｃに沿って切断した断面図である。
第二のハウジング３０は、内部に空洞部３１が形成された筒状体３２の一端が接合面３３で塞がれ、この接合面３３は第一のハウジング２０に接合されるものであり、他端は開口３４として形成されている。空洞部３１には施錠ユニット１４（図３参照）が収納され、この施錠ユニット１４を固定するために筒状体３２に孔３２ａが穿設され、この孔３２ａにダボ又はボルトなどの固定具４３が取付けられる。
接合面３３には、溝３５と、表裏に貫通する長孔３６と、対向配置された一対のダボ孔３７と、表裏に貫通するネジ挿着孔３８とが設けられている。他の部材と関連させて説明すれば、第二のハウジング３０が第一のハウジング２０に接合されたとき、溝３５は第一のハウジング２０の第二の溝２２の拡大部２２ｄに対向し、両溝２２，３５の内部にワイヤーロープ１８の留め具１９が収容される。また長孔３６は、第一のハウジング２０の第一の溝２１の拡大部２１ｃに対向し、この拡大部２１ｃに収納された楔状部材１１の凸軸１１ｂ（図６参照）が緩やかに嵌合し、楔状部材１１の軌道として機能する。ネジ挿着孔３８は、第一のハウジング２０のネジ挿着孔２５に対向し、ここに、ボルト４０が螺合されて第一のハウジング２０と第二のハウジング３０とが一体に連結される。ダボ孔３７は、第一のハウジング２０のダボ孔２４に対向し、ここにダボが装着されて第一のハウジング２０と第二のハウジング３０との相対位置がずれないように固定される。
【００１８】
次に、図６（ａ）は楔状部材１１の平面図であり、図６（ｂ）は矢印Ｂ方向から見た側面図である。楔状部材１１は、楔形状に形成された楔体１１ａと、この楔体１１ａの側面に突設された凸軸１１ｂとから構成される。
楔体１１ａは咬付き面１１ｃを有し、この咬付き面１１ｃには鋸刃のような配置で凹凸が形成されている。この咬付き面１１ｃは、第一の貫通孔１６の締付け面２１ｄ（すなわち、第一のハウジング２０における第一の溝２１内の締付け面２１ｄ）との間に、ワイヤーロープ１８を挟んだときに、図６（ａ）の矢印Ｆ方向に抜き取れないような鋭さに形成されている。また楔体１１ａには凹面１１ｄが形成されており、この凹面２１ｅはバネ部材１２の端部を当接させて外れないようにするためのものである。
凸軸１１ｂは、第二のハウジング３０に軌道として形成された長孔３６に緩やかに嵌合し、楔状部材１１が第一のハウジング２０の第一の溝２１内を長孔３６に沿って摺動するように導くものである。
【００１９】
次に、図７（ａ）はカム部材１３を矢印Ａ方向から見た側面図であり、図７（ｂ）はカム部材１３の平面図であり、図７（ｃ）は矢印Ｃ方向から見た側面図である。カム部材１３には、中央に長円形の貫通孔１３ａが形成され、一方の面に切欠き部１３ｂが形成され、切り欠かれない部分１３ｃとの境界に段差部１３ｄ，１３ｅが設けられる。一方の段差部１３ｄは、カム部材１３が他の部品と組み立てられたとき、図２のように楔状部材１１の凸軸１１ｂに当接するように配置される。また貫通孔１３ａには、図７（ａ）（ｃ）の矢印Ｐ方向から施錠ユニット１４の出力部１４ｃが嵌合して固定される。
【００２０】
次に、図８を参照して緊締装置５０の作用について説明する。
緊締装置５０は、図８に示したように、鍵付ワイヤークリップ１０の第一及び第二の貫通孔１６，１７にワイヤーロープ１８が挿通され、ワイヤー１８の一端の留め具１９が第二の貫通孔１７の拡大部２２ｄに嵌って固定され、鍵付ワイヤークリップ１０を介して環状に形成されたワイヤーロープ１８の環状部により、袋開口部などの被緊締物５５を括り緊締するものである。なお、緊締装置５０は、ワイヤーロープ１８の長さを適宜調整することにより、比較的大きな荷物を梱包して緊締する際にも使用することが可能である。
図８（ａ）は、施錠ユニット１４が鍵により開錠操作されていないときの緊締装置５０の断面図である。このとき、楔状部材１１はバネ部材１２により矢印Ｓ１方向、すなわち、楔状部材１１の咬付き面１１ｃと第一の貫通孔１６の締付け面２１ｄとの間隔が狭くなる方向に付勢されており、楔状部材１１の咬付き面１１ｃはワイヤーロープ１８に当接している。そのため、ワイヤーロープ１８に矢印Ｐ１方向へ引張る力を与えると、楔状部材１１が矢印Ｓ１方向にわずかに動いて、咬付き面１１ｃと締付け面２１ｄとでワイヤーロープ１８を挟む力が強くなり、ワイヤーロープ１８は矢印Ｐ１方向へ動かすことができず、引き抜くことができなくなる。
一方、ワイヤーロープ１８に逆方向（矢印Ｐ２方向）へ引張る力を与えた場合には、図８（ｂ）に示したように、楔状部材１１はワイヤーロープ１８に押されて矢印Ｓ２方向、すなわち、楔状部材１１の咬付き面１１ｃと第一の貫通孔１６の締付け面２１ｄとの間隔が広くなる方向に動かされるため、ワイヤーロープ１８は矢印Ｐ２方向へ引き動かすことが可能になる。これにより、鍵付ワイヤークリップ１０を介して形成されたワイヤーロープ１８の環状部は小さくなっていき、環状部分で括られた被緊締物５５を緊締することができる。
次に、図８（ｃ）は施錠ユニット１４が鍵により開錠操作されたときの緊締装置５０の断面図である。緊締装置５０の施錠ユニット１４の鍵穴１４ｂに差し入れた鍵を回転操作すると、施錠ユニット１４の出力部１４ｃによりカム部材１３は回動する。楔状部材１１の凸軸１１ｂは、カム部材１３の段差部１３ｄと当接しており、この段差部１３ｄに押されて楔状部材１１は矢印Ｓ２方向に押し下げられる。これにより、楔状部材１１の咬付き面１１ｃと第一の貫通孔１６の締付け面２１ｄとの間隔は拡大し、第一の貫通孔１６に通されているワイヤーロープ１８は矢印Ｐ１，Ｐ２の両方向に自在に動かすことが可能になる。
【図面の簡単な説明】
【００２１】
【図１】（ａ）は鍵付ワイヤークリップの側面図、（ｂ）は矢印Ｂ方向からみた後端面図、（ｃ）は矢印Ｃ向からみた前端面図、（ｄ）は矢印Ｄ方向からみた側面図、（ｅ）は矢印Ｅ方向からみた側面図である。
【図２】ワイヤーロープの平面図である。
【図３】緊締装置の断面図である。
【図４】（ａ）は第一のハウジング２０を矢印Ａ方向からみた側面図、（ｂ）は第二のハウジング３０に接合される端面の図、（ｃ）は矢印Ｃ方向からみた側面図、（ｄ）一点鎖線Ｄ−Ｄに沿った断面図である。
【図５】（ａ）は第二のハウジングを一点鎖線Ａ−Ａに沿って切断した断面図、（ｂ）は第一のハウジングに接合される端面の図、（ｃ）は一点鎖線Ｃ−Ｃに沿って切断した断面図である。
【図６】（ａ）は楔状部材の平面図であり、（ｂ）は矢印Ｂ方向から見た側面図である。
【図７】（ａ）はカム部材を矢印Ａ方向から見た側面図であり、（ｂ）はカム部材の平面図であり、（ｃ）は矢印Ｃ方向から見た側面図である。
【図８】緊締装置の作用を説明するための断面図である。
【符号の説明】
【００２２】
１０  鍵付ワイヤークリップ
１１  楔状部材
１１ｂ  凸軸
１１ｃ  咬付き面
１２  バネ部材
１３  カム部材
１４  施錠ユニット
１４ｃ  出力部
１５  ハウジング
１６  第一の貫通孔
１７  第二の貫通孔
１８  ワイヤーロープ
２１ｄ  締付け面
５０  緊締装置
【図１】
2008121727.tif 000003
【図２】
2008121727.tif 000004
【図３】
2008121727.tif 000005
【図４】
2008121727.tif 000006
【図５】
2008121727.tif 000007
【図６】
2008121727.tif 000008
【図７】
2008121727.tif 000009
【図８】
2008121727.tif 000010